【手続補正書】
【提出日】平成19年12月6日(2007.12.6)
【手続補正１】
【補正対象書類名】明細書
【補正対象項目名】特許請求の範囲
【補正方法】変更
【補正の内容】
【特許請求の範囲】
【請求項１】  関連するステータス指示を有する１つまたは複数の個々の動作のグループを含む一連の動作を行う双方向通信システムにおける、システムステータスの指示を捕捉するための方法であって、
個々のステータス指示が対応するグループの動作に関連する順次に行われるグループの動作の完了の前記ステータスを反映する配列されたステータス指示を生成するステップと、
前記生成されたステータス指示を捕捉するステップと、
前記グループの動作の反復の開始後、前記捕捉したステータス指示を前記システムの記憶媒体に保持するステップと、
システム動作診断のため、前記保持し捕捉したステータス指示を前記システムの達せられた動作ステータスの識別情報として提供するステップとを含み、
前記捕捉したステータス指示が、中断に先立って前記システムの初期設定の間に達せられた完了した動作ステータスを特定し、かつユーザコマンドに応答して提供されることを特徴とする方法。
【請求項２】  前記双方向通信システムが、ケーブルモデムであり、
前記生成するステップが、階層式に配列されたステータス指示を生成し、
前記順次に行われるグループの動作が、（ａ）前記ケーブルモデムシステムの初期設定手続き、（ｂ）前記ケーブルモデムシステムの障害診断手続き、および（ｃ）前記ケーブルモデムシステムの異常条件監視手続きのうち少なくとも１つを含むことを特徴とする、請求項１に記載の方法。
【請求項３】  前記グループの動作が、（ａ）同調、（ｂ）レンジング、（ｃ）構成、および（ｄ）登録を含む動作からの２つの異なる動作を含むことを特徴とする、請求項１に記載の方法。
【請求項４】  前記ステータス指示が、（ａ）障害条件、（ｂ）異常動作条件、および（ｃ）命令された中断条件のうち少なくとも１つを含む条件による中断に先立って行われるグループの動作の前記ステータスを識別することを特徴とする、請求項１に記載の方法。
【請求項５】  前記ユーザコマンドが、電源スイッチ設定の選択を含むことを特徴とする、請求項１に記載の方法。
【請求項６】  前記捕捉したステータス指示が、技術者による障害検出および問題診断のために組み合わせで使用可能であることを特徴とする、請求項１に記載の方法。
【請求項７】  前記提供するステップが、（ａ）前記保持し捕捉したステータス指示を前記システムのユーザに対して表示すること、および（ｂ）前記保持し捕捉したステータス指示を前記システムのユーザがアクセス可能なメモリの中に保持することのうち少なくとも１つを含むことを特徴とする、請求項１に記載の方法。
【請求項８】  前記提供するステップが、前記順次に行われるグループの動作のサイクル反復中、前記捕捉したステータス指示を保持することを含むことを特徴とする、請求項７に記載の方法。
【請求項９】  前記提供するステップが、前記保持し捕捉したステータス指示を、（ａ）ＬＥＤ、（ｂ）可視の累進的照光式バー表示器、（ｃ）非ＬＥＤ照明、および（ｄ）可聴指示のうち少なくとも１つを含む階層式に配列されたビジュアル表示器として表示することを含むことを特徴とする、請求項１に記載の方法。
【請求項１０】  前記提供するステップが、前記保持し捕捉したステータス指示を取外し可能な記憶媒体の中に保持して、前記順次に行われるグループの動作のサイクル反復中に利用可能であるようにすることを含むことを特徴とする、請求項１に記載の方法。
【請求項１１】  前記提供するステップが、遠隔アクセス通信を介して、前記保持し捕捉したステータス指示を階層式に配列されたデータフィールド表示器として提供することを含むことを特徴とする、請求項１に記載の方法。
【請求項１２】  関連するステータス指示を有する１つまたは複数の個々の動作のグループを含む一連の動作を含む初期設定手続きを行うモデムシステムにおける、システムステータスの指示を捕捉するための方法であって、
個々のステータス指示が対応するグループの動作に関連し、（ａ）障害条件、（ｂ）異常動作条件、および（ｃ）命令された中断条件のうち少なくとも１つを含む条件による中断に先立って行われるグループの動作の前記ステータスを識別する、順次に行われるグループの動作の完了の前記ステータスを反映する階層式に配列されたステータス指示を生成するステップと、
前記生成されたステータス指示を捕捉するステップと、
前記グループの動作の反復の開始後、前記捕捉したステータス指示を前記システムの記憶媒体に保持するステップと、
システム動作診断のため、前記保持し捕捉したステータス指示を前記システムの達せられた動作ステータスの識別情報として提供するステップとを含み、
前記捕捉したステータス指示が、中断に先立って前記システムの初期設定の間に達せられた完了した動作ステータスを特定し、かつユーザコマンドに応答して提供されることを特徴とする方法。
【請求項１３】  前記順次に行われるグループの動作が、
（ａ）前記ケーブルモデムシステムの初期設定手続き、（ｂ）前記ケーブルモデムシステムの障害診断手続き、および（ｃ）前記ケーブルモデムシステムの異常条件監視手続きのうち少なくとも１つを含むことを特徴とする、請求項１２に記載の方法。
【請求項１４】  前記捕捉したステータス指示が、前記システムの初期設定において達せられた最高の動作状態を特定することを特徴とする、請求項１２に記載の方法。
【請求項１５】  前記捕捉されたステータス指示が、技術者による障害検出および問題診断のために組み合わせで使用可能であることを特徴とする、請求項１２に記載の方法。
【請求項１６】  前記グループの動作が、（ａ）調整、（ｂ）レンジング、（ｃ）構成、および（ｄ）登録を含む動作からの２つの異なる動作を含むことを特徴とする、請求項１２に記載の方法。
【請求項１７】  関連するステータス指示を有する１つまたは複数の個々の動作のグループを含む一連の動作を含む初期設定手続きを行うモデムシステムにおける、システムステータスの指示を捕捉するための方法であって、
（ａ）調整動作、（ｂ）レンジング動作、（ｃ）構成動作、および（ｃ）登録動作のうち１つまたは複数を含み、対応するステータス指示を有する個々のレベルを備えた階層式の一連の動作レベルに区分された順次に行われるグループの動作の完了ステータスを反映する階層式に配列されたステータス指示を生成するステップと、
前記生成されたステータス指示を捕捉するステップと、
前記グループの動作の反復の開始後、前記捕捉したステータス指示を保持するステップと、
システム動作診断のため、前記保持し捕捉したステータス指示を前記システムの達せられた動作ステータスの識別情報として提供するステップとを含むことを特徴とする方法。
【請求項１８】  前記順次に行われるグループの動作が、（ａ）前記ケーブルモデムシステムの初期設定手続き、（ｂ）前記ケーブルモデムシステムの障害診断手続き、および（ｃ）前記ケーブルモデムシステムの異常条件監視手続きのうち少なくとも１つを含むことを特徴とする、請求項１７に記載の方法。
【請求項１９】  前記捕捉したステータス指示が、前記システムの初期設定において達せられた最高の動作状態を特定することを特徴とする、請求項１７に記載の方法。
【請求項２０】  前記システムのコントローラが、前記生成するステップ、捕捉するステップ、保持するステップ、および提供するステップを行うことを特徴とする請求項１に記載の方法。